(57)【要約】【課題】電源に伝達されるノイズを低減できる空気調和機用のプリント基板を提供する。【解決手段】プリント基板は、３層以上の多層基板１０と、多層基板１０に設けられる第１配線から第３配線とを備えている。多層基板１０は、電源端子１と接続端子２と電力変換回路３と電源回路４とが設けられる層を表面に有する。第１配線は、電源端子１と電力変換回路３とを接続する接続経路の各々の少なくとも一部を形成する。第２配線は、電源端子１と電源回路４とを接続する接続経路の各々の少なくとも一部を形成する。第３配線は、電源端子１と接続端子２とを接続する接続経路の各々の少なくとも一部を形成する。第１配線から第３配線を含む複数の配線のうち少なくとも２つの配線は、多層基板１０において表面とは異なる２つの層にそれぞれ形成される。【選択図】図２
2018204797.tif 000002
【特許請求の範囲】
【請求項１】
空気調和機に含まれる室外機および室内機の一方に設けられる空気調和機用のプリント基板であって、
Ｎ（２以上の整数）個の電源端子(1)と、前記室外機および前記室内機の他方に接続するＮ個の接続端子(2)と、スイッチング素子を有し、前記電源端子を介して入力される入力電力を変換する電力変換回路(3)と、前記スイッチング素子へ動作電圧を出力する電源回路(4)とが設けられる層(L1)を表面に有する３層以上の多層基板(10)と、
前記多層基板に設けられ、前記電源端子と前記電力変換回路とを接続するＮ本の第１接続経路(W11,W12)の各々の少なくとも一部を形成するＮ本の第１配線(W11a,W12a;W11b,W12b)と、
前記多層基板に設けられ、前記電源端子と前記電源回路とを接続するＮ本の第２接続経路の各々の少なくとも一部を形成するＮ本の第２配線(W21a,W22a)と、
前記多層基板に設けられ、前記電源端子と前記接続端子とを接続するＮ本の第３接続経路の各々の少なくとも一部を形成するＮ本の第３配線（W31a,W32a）と
を備え、
前記Ｎ本の第１配線、前記Ｎ本の第２配線および前記Ｎ本の第３配線を含む３Ｎ本の配線のうち少なくとも２つの配線は、前記多層基板において前記表面とは異なる２つの層にそれぞれ形成される、空気調和機用のプリント基板。
【請求項２】
前記Ｎ本の第１配線(W11b,W12b)、前記Ｎ本の第２配線(W21a,W21b)または前記Ｎ本の第３配線(W31a,W32a)であるＮ本の配線の少なくとも二つは互いに異なる層に形成される、請求項１に記載の空気調和機用のプリント基板。
【請求項３】
前記Ｎ本の配線の少なくとも二つは前記多層基板の厚み方向において対向する位置に設けられる、請求項２に記載の空気調和機用のプリント基板。
【請求項４】
前記多層基板の前記表面には、
前記電源端子と前記電力変換回路との間に接続される第１フィルタ（５）と、
前記電源端子と前記接続端子との間に接続される第２フィルタ（６）と
を備え、
前記Ｎ本の第１配線は、前記第１フィルタと前記電力変換回路との間の配線であり、
前記Ｎ本の第２配線は、前記第１フィルタと前記電源回路との間の配線であり、
前記Ｎ本の第３配線は、前記第２フィルタと前記接続端子との間の配線である、請求項１から請求項３のいずれか一つに記載の空気調和機用のプリント基板。
【請求項５】
請求項１から請求項４のいずれか一つに記載の空気調和機用のプリント基板を備える、空気調和機。
【発明の詳細な説明】
【技術分野】
【０００１】
本発明は、空気調和機用のプリント基板および空気調和機に関する。
【背景技術】
【０００２】
特許文献１には、空気調和機用のプリント基板が記載されている。このプリント基板には、電源に接続される電源回路、空気調和機に設けられた各種の機械的構成を制御するための制御回路、各種のセンサの検出値を読み込むセンサ回路、制御用のマイクロコントローラユニットなどの電気的構成が実装され、これらを適宜に接続するための回路パターンが形成される。
【先行技術文献】
【特許文献】
【０００３】
【特許文献１】特開平１１−１１８２２９号公報
【発明の概要】
【発明が解決しようとする課題】
【０００４】
空気調和機のプリント基板では、交流電源に接続される電源線が複数の電源線に分岐する。これらの電源線の相互間でノイズが伝達されて、当該ノイズが交流電源へと伝達されると、交流電源に接続された他の機器の動作に悪影響を与える可能性がある。
【０００５】
そこで本発明は、電源に伝達されるノイズを低減できる空気調和機用のプリント基板および空気調和機を提供することを目的とする。
【課題を解決するための手段】
【０００６】
本発明にかかる空気調和機用のプリント基板の第１の態様は、空気調和機に含まれる室外機および室内機の一方に設けられる空気調和機用のプリント基板であって、Ｎ（２以上の整数）個の電源端子(1)と、前記室外機および前記室内機の他方に接続するＮ個の接続端子(2)と、スイッチング素子を有し、前記電源端子を介して入力される入力電力を変換する電力変換回路(3)と、前記スイッチング素子へ動作電圧を出力する電源回路(4)とが設けられる層(L1)を表面に有する３層以上の多層基板(10)と、前記多層基板に設けられ、前記電源端子と前記電力変換回路とを接続するＮ本の第１接続経路(W11,W12)の各々の少なくとも一部を形成するＮ本の第１配線(W11a,W12a;W11b,W12b)と、前記多層基板に設けられ、前記電源端子と前記電源回路とを接続するＮ本の第２接続経路の各々の少なくとも一部を形成するＮ本の第２配線(W21a,W22a)と、前記多層基板に設けられ、前記電源端子と前記接続端子とを接続するＮ本の第３接続経路の各々の少なくとも一部を形成するＮ本の第３配線（W31a,W32a）とを備え、前記Ｎ本の第１配線、前記Ｎ本の第２配線および前記Ｎ本の第３配線を含む３Ｎ本の配線のうち少なくとも２つの配線は、前記多層基板において前記表面とは異なる２つの層にそれぞれ形成される。
【０００７】
本発明にかかる空気調和機用のプリント基板の第２の態様は、第１の態様にかかる空気調和機用のプリント基板であって、前記Ｎ本の第１配線(W11b,W12b)、前記Ｎ本の第２配線(W21a,W21b)または前記Ｎ本の第３配線(W31a,W32a)であるＮ本の配線の少なくとも二つは互いに異なる層に形成される。
【０００８】
本発明にかかる空気調和機用のプリント基板の第３の態様は、第２の態様にかかる空気調和機用のプリント基板であって、前記Ｎ本の配線の少なくとも二つは前記多層基板の厚み方向において対向する位置に設けられる。
【０００９】
本発明にかかる空気調和機用のプリント基板の第４の態様は、前記電源端子と前記電力変換回路との間に接続される第１フィルタ（５）と、前記電源端子と前記接続端子との間に接続される第２フィルタ（６）とを備え、前記Ｎ本の第１配線は、前記第１フィルタと前記電力変換回路との間の配線であり、前記Ｎ本の第２配線は、前記第１フィルタと前記電源回路との間の配線であり、前記Ｎ本の第３配線は、前記第２フィルタと前記接続端子との間の配線である。
【００１０】
本発明にかかる空気調和機の第１の態様は、第１から第４のいずれか一つの態様にかかる空気調和機用のプリント基板を備える。
【発明の効果】
【００１１】
本発明にかかる空気調和機用のプリント基板の第１の態様および空気調和機によれば、表面における層とは異なる２つの層に形成された２つの配線を、表面に形成される構成要素（例えば電源端子、電力変換回路など）とは関係なく引き回すことができる。つまり、当該２つの配線の設置自由度を向上できる。よって、当該２つの配線の各々と電源端子との間の距離（多層基板に平行な方向の距離）を長くすることができる。したがって、当該２つの配線と電源端子との間の寄生容量を小さくすることができる。これにより、当該２つの配線から寄生容量を介して電源端子に伝達されるノイズを低減できる。
【００１２】
本発明にかかる空気調和機用のプリント基板の第２の態様によれば、Ｎ本の配線のうち少なくとも二つの設置自由度を向上できる。よって、Ｎ本の配線のうち少なくとも二つを多層基板に平行な方向において電源端子から遠ざけることができる。
【００１３】
本発明にかかる空気調和機用のプリント基板の第３の態様によれば、Ｎ本の配線のうち少なくとも二つを電源端子から同程度に遠ざけることができる。よってこれらの配線から電源端子へと伝達されるノイズを同程度に低減できる。
【００１４】
本発明にかかる空気調和機用のプリント基板の第４の態様によれば、ノイズが重畳しやすい第１配線から第３配線を電源端子から遠ざけることができる。
【図面の簡単な説明】
【００１５】
【図１】空気調和機の構成の一例を概略的に示す図である。
【図２】プリント基板に設けられる構成の一例を概略的に示す図である。
【図３】インバータの内部構成の一例を示す図である。
【図４】多層基板における層Ｌ１の構成の一例を概略的に示す図である。
【図５】多層基板における層Ｌ２の構成の一例を概略的に示す図である。
【図６】多層基板における層Ｌ３の構成の一例を概略的に示す図である。
【図７】多層基板の構成の一例を概略的に示す断面図である。
【図８】多層基板における層Ｌ４の構成の一例を概略的に示す図である。
【図９】多層基板の構成の一例を概略的に示す断面図である。
【図１０】多層基板における層Ｌ２の構成の一例を概略的に示す図である。
【図１１】多層基板における層Ｌ３の構成の一例を概略的に示す図である。
【図１２】プリント基板に設けられる構成の他の一例を概略的に示す図である。
【発明を実施するための形態】
【００１６】
実施の形態．
＜１．空気調和機＞
図１は、本実施の形態にかかるプリント基板を適用可能な空気調和機の構成の一例を概略的に示す図である。空気調和機１００は室内機２００および室外機３００を備える。室内機２００は室内に配置され、室外機３００は室外に配置される。
【００１７】
室内機２００は例えば熱交換器２１０とファン２２０と制御部２５０とを備えている。室外機３００は例えば熱交換器３１０と膨張弁３６０とファン３２０と圧縮機３３０と四方弁３４０と制御部３５０とを備えている。熱交換器２１０，３１０と膨張弁３６０と圧縮機３３０と四方弁３４０は冷媒回路を構成する。
【００１８】
圧縮機３３０は吸入口３３０ａと吐出口３３０ｂとを有する。圧縮機３３０は吸入口３３０ａから冷媒を吸入し、吸入された冷媒を圧縮して、これを吐出口３３０ｂから吐出する。この圧縮機３３０は電動機を有しており、この電動機が回転することにより、圧縮動作が行われる。
【００１９】
四方弁３４０は圧縮機３３０の吸入口３３０ａおよび吐出口３３０ｂと、熱交換器２１０の一端２１１と、熱交換器３１０の一端３１１とにそれぞれ冷媒配管を介して連結される。この四方弁３４０は圧縮機３３０の吸入口３３０ａを熱交換器２１０の一端２１１および熱交換器３１０の一端３１１のいずれか一方と選択的に連結させ、吐出口３３０ｂを他方と連結させる。
【００２０】
膨張弁３６０の一端は冷媒配管を介して熱交換器２１０の他端２１２に連結され、膨張弁３６０の他端は冷媒配管を介して熱交換器３１０の他端３１２に連結される。膨張弁３６０は冷媒を絞り膨張させる。
【００２１】
ファン２２０は熱交換器２１０へと送風して熱交換器２１０の熱交換を促進し、熱交換後の空気を室内に吹き出させる。ファン３２０は熱交換器３１０へと送風して熱交換器３１０の熱交換を促進する。ファン２２０，３２０は電動機を有しており、当該電動機が回転することにより、ファン２２０，３２０は送風する。
【００２２】
制御部２５０，３５０は互いに通信可能に接続され、互いに協働して空気調和機１００を制御する。制御部２５０は室内機２００の各種構成（例えばファン２２０）を制御し、制御部３５０は室外機３００の各種構成（例えばファン３２０、膨張弁３６０、圧縮機３３０および四方弁３４０）を制御する。
【００２３】
空気調和機１００は、室内の空気を冷却するための冷房運転を実行する。この冷房運転において、制御部２５０，３５０は互いに通信して上記構成要素を制御する。例えば制御部３５０は四方弁３４０を制御して、圧縮機３３０の吸入口３３０ａを熱交換器２１０の一端２１１に連結させ、圧縮機３３０の吐出口３３０ｂを熱交換器３１０の一端３１１に連結させる。これにより、室内機２００の熱交換器２１０を蒸発器として機能させ、室外機３００の熱交換器３１０を凝縮器として機能させることができる。よって、室内機２００の熱交換器２１０は室内の空気から熱を吸収して、室内の空気を冷却する。また冷房運転において、制御部２５０，３５０はそれぞれファン２２０，３２０を回転させる。室内機２００のファン２２０からの風は熱交換器２１０を経由して室内へと供給されるので、室内の冷却を促進できる。
【００２４】
また空気調和機１００は、室内の空気を暖めるための暖房運転を実行する。この暖房運転において、制御部２５０，３５０は互いに通信して上記構成要素を制御する。例えば制御部３５０は四方弁３４０を制御して、圧縮機３３０の吸入口３３０ａを熱交換器３１０の一端３１１に連結させ、圧縮機３３０の吐出口３３０ｂを熱交換器２１０の一端２１１に連結させる。これにより、室内機２００の熱交換器２１０を凝縮器として機能させ、室外機３００の熱交換器３１０を蒸発器として機能させることができる。よって室内機２００の熱交換器２１０は室内の空気へと熱を放出して、室内の空気を暖める。また暖房運転においても、制御部２５０，３５０はそれぞれファン２２０，３２０を回転させる。ファン２２０からの風は熱交換器２１０を経由して室内へと供給されるので、室内の暖房を促進できる。
【００２５】
＜２．プリント基板＞
図２は、プリント基板に設けられる電気的な構成の一例を概略的に示す図である。このプリント基板は空気調和機１００に設けられ、より具体的には例えば室外機３００に設けられる。
【００２６】
プリント基板は３層以上の多層基板１０と、多層基板１０に形成される配線Ｗ１１，Ｗ１２，Ｗ２１，Ｗ２２，Ｗ３１，Ｗ３２とを備えている。また、この多層基板１０には、電源端子１と、接続端子２と、電力変換回路３と、電源回路４とが設けられる。
【００２７】
電源端子１は電線を介して交流電源Ｅ１と接続するための端子である。この電源端子１は多層基板１０の表面に実装される。図２の例では、交流電源Ｅ１は単相交流電源であるので、多層基板１０には２つの電源端子１が設けられている。以下では、２つの電源端子１を電源端子１１，１２とも呼ぶ。なお、交流電源Ｅ１はＮ（Ｎは２以上の整数）相交流電源であってよく、この場合、Ｎ個の電源端子１が多層基板１０の表面に実装されればよい。
【００２８】
電力変換回路３は多層基板１０の表面に実装されており、Ｎ本の配線を介してＮ個の電源端子１に接続される。図２の例では、電力変換回路３は２本の配線Ｗ１１，Ｗ１２を介してそれぞれ２つの電源端子１１，１２に接続されている。配線Ｗ１１，Ｗ１２は、それぞれが電源端子１と電力変換回路３とを接続する接続経路を形成する、ともいえる。電力変換回路３はスイッチング素子を有しており、配線Ｗ１１，Ｗ１２から入力された入力電力を変換する。具体的には、電力変換回路３は、配線Ｗ１１，Ｗ１２から入力された交流電圧を所望の電圧に変換して、変換後の電圧を出力する。
【００２９】
例えば電力変換回路３は整流回路３１とインバータ３２とＬＣフィルタ３３とを備えている。整流回路３１は、配線Ｗ１１，Ｗ１２から入力される交流電圧を直流電圧に変換して、当該直流電圧を直流線ＬＨ，ＬＬの間に印加する。整流回路３１は、例えば、ダイオードブリッジを有する全波整流回路である。直流線ＬＨ，ＬＬには、ＬＣフィルタ３３が設けられている。ＬＣフィルタ３３はリアクトル３３１およびコンデンサ３３２を有している。コンデンサ３３２は直流線ＬＨ，ＬＬの間に接続されている。リアクトル３３１は整流回路３１とコンデンサ３３２との間で直流線ＬＨに設けられている。なおリアクトル３３１は整流回路３１とコンデンサ３３２との間で直流線ＬＬに設けられてもよい。コンデンサ３３２に印加される直流電圧はインバータ３２に入力される。
【００３０】
このＬＣフィルタ３３は、例えばインバータ３２のスイッチングに起因した電流のノイズを低減することができる。リアクトル３３１のインダクタンス、および、コンデンサ３３２の静電容量は例えば小さく設定される。例えば、リアクトル３３１のインダクタンスは数百［μＨ］程度に設定され、コンデンサ３３２の静電容量は数十［μＦ］程度に設定される。これにより、電力変換回路３を小型化することができる。コンデンサ３３２の静電容量が小さいので、コンデンサ３３２に印加される直流電圧は、交流電圧に起因して変動する。逆に言えば、コンデンサ３３２の静電容量は、当該直流電圧が交流電圧の変動に応じて変動する程度に設定される。例えば整流回路３１が単相交流電圧を全波整流する場合、当該直流電圧は交流電圧の２倍の周波数で脈動する。
【００３１】
図３は、インバータ３２の内部構成の一例を概略的に示す図である。インバータ３２は例えばスイッチング素子Ｓ１〜Ｓ６とダイオードＤ１〜Ｄ６を備えている。スイッチング素子Ｓ１，Ｓ３，Ｓ５の各々は例えばトランジスタであって、出力端Ｐｕ，Ｐｖ，Ｐｗの各々と直流線ＬＨとの間に接続される。出力端Ｐｕ〜Ｐｗは多層基板１０の表面に実装される。スイッチング素子Ｓ２，Ｓ４，Ｓ６の各々は例えばトランジスタであって、出力端Ｐｕ，Ｐｖ，Ｐｗの各々と直流線ＬＬとの間に接続される。ダイオードＤ１〜Ｄ６はそれぞれスイッチング素子Ｓ１〜Ｓ６に並列に接続される。ダイオードＤ１〜Ｄ６の順方向は直流線ＬＬから直流線ＬＨへ向かう方向である。
【００３２】
またインバータ３２には、スイッチング素子Ｓ１〜Ｓ６をそれぞれ駆動する駆動回路ＤＲ１〜ＤＲ６が設けられている。これらの駆動回路ＤＲ１〜ＤＲ６は、電源回路４から動作電圧が入力されて動作する。また駆動回路ＤＲ１〜ＤＲ６には、例えば室外機３００の制御部３５０から制御信号が入力される。この制御部３５０も多層基板１０の表面に実装される。駆動回路ＤＲ１〜ＤＲ６は、入力された制御信号をそれぞれスイッチング素子Ｓ１〜Ｓ６の制御電極へと出力する。これにより、スイッチング素子Ｓ１〜Ｓ６がスイッチング動作を行う。このスイッチング動作によって、インバータ３２は直流電圧を交流電圧に変換する。
【００３３】
出力端Ｐｕ，Ｐｖ，Ｐｗは電動機Ｍ１に接続される。電動機Ｍ１は例えば圧縮機３３０に設けられた電動機であってもよく、あるいは、例えばファン３２０に設けられた電動機であってもよい。電動機Ｍ１は、インバータ３２から入力される交流電圧に応じて回転する。
【００３４】
ところで、電力変換回路３が有するスイッチング素子Ｓ１〜Ｓ６のスイッチング動作によってノイズが発生する。つまり、電力変換回路３はノイズ源として機能する。このノイズは配線Ｗ１１，Ｗ１２に伝達される。そこで、図２の例においては、電源端子１と電力変換回路３との間に、フィルタ５が設けられている。フィルタ５は多層基板１０の表面に実装されており、例えばリアクトル５１，５２とコンデンサ５３，５４とを備えている。リアクトル５１は配線Ｗ１１に設けられ、リアクトル５２は配線Ｗ１２に設けられる。コンデンサ５３，５４はリアクトル５１，５２よりも電力変換回路３側において、配線Ｗ１１，Ｗ１２の間で互いに直列に接続される。コンデンサ５３，５４を接続する接続点は接地されている。
【００３５】
また図２の例においては、フィルタ５と電源端子１との間において、コンデンサ５５，５６が設けられている。コンデンサ５５，５６は多層基板１０の表面に実装される。コンデンサ５５，５６の一端はそれぞれ配線Ｗ１１，Ｗ１２に接続されており、コンデンサ５５，５６の他端は互いに接続される。コンデンサ５５，５６の他端は接地されている。つまりコンデンサ５５，５６は配線Ｗ１１，Ｗ１２の間で互いに直列に接続される。
【００３６】
なおコンデンサ５５，５６およびフィルタ５が一つのフィルタを形成する、とみることもできる。当該フィルタは電力変換回路３から電源端子１へと伝達されるノイズを低減することができる。
【００３７】
電源回路４は多層基板１０の表面に実装されており、Ｎ本（ここでは２本）の配線Ｗ１１，Ｗ１２からそれぞれ分岐したＮ本（ここでは２本）の配線Ｗ２１，Ｗ２２に接続されている。図２の例においては、配線Ｗ２１はフィルタ５と電力変換回路３との間の分岐点Ｐ２１において配線Ｗ１１から分岐しており、配線Ｗ２２はフィルタ５と電力変換回路３との間の分岐点Ｐ２２において配線Ｗ１２から分岐している。
【００３８】
配線Ｗ１１のうち電源端子１１から分岐点Ｐ２１までの配線および配線Ｗ２１と、配線Ｗ１２のうち電源端子１２から分岐点Ｐ２２までの配線および配線Ｗ２２とは、電源端子１と電源回路４とを接続する接続経路を形成する、ともいえる。
【００３９】
電源回路４は、配線Ｗ２１，Ｗ２２から入力される交流電圧を直流電圧に変換し、当該直流電圧を電力変換回路３のスイッチング素子Ｓ１〜Ｓ６の動作電圧として出力する。電源回路４は例えば整流回路および降圧回路を有しており、この整流回路は交流電圧を直流電圧に変換して降圧回路へ出力し、降圧回路は公知のようにスイッチング素子を有しており、このスイッチング素子のスイッチング動作によって直流電圧を降圧し、降圧後の直流電圧を出力する。
【００４０】
この電源回路４のスイッチング動作によってもノイズが生じる。つまり電源回路４はノイズ源として機能する。図２の例においては、電源端子１と電源回路４との間にコンデンサ５５，５６およびフィルタ５が位置するので、電源回路４から電源端子１へと伝達されるノイズを低減できる。
【００４１】
接続端子２は電線を介して室内機２００と接続するための端子であり、多層基板１０の表面に実装されている。図２の例では、接続端子２として複数の接続端子２１〜２３が示されている。Ｎ個（ここでは２個）の電源端子１はＮ本（ここでは２本）の配線を介してＮ個（ここでは２本）の接続端子２１，２２に接続される。より具体的には、接続端子２１は、配線Ｗ１１から分岐した配線Ｗ３１に接続され、接続端子２２は、配線Ｗ１２から分岐した配線Ｗ３２に接続される。これにより、接続端子２１，２２は電源端子１１，１２にそれぞれ接続される。接続端子２１，２２は交流電源Ｅ１からの交流電圧を室内機２００へと出力することができる。
【００４２】
図２の例においては、配線Ｗ３１はコンデンサ５５とフィルタ５との間の分岐点Ｐ３１において配線Ｗ１１から分岐し、配線Ｗ３２はコンデンサ５６とフィルタ５との間の分岐点Ｐ３２において配線Ｗ１２から分岐する。配線Ｗ１１のうち電源端子１１から分岐点Ｐ３１までの配線および配線Ｗ３１と、配線Ｗ１２のうち電源端子１２から分岐点Ｐ３２までの配線および配線Ｗ３２とは、電源端子１と接続端子２とを接続する接続経路を形成する、ともいえる。
【００４３】
さて、室内機２００にもノイズ源が存在する。このノイズ源に発生したノイズは、接続端子２を経由して電源端子１へと伝達することがある。そこで、図２の例においては、電源端子１と接続端子２との間には、フィルタ６が設けられている。このフィルタ６は多層基板１０の表面に実装される。
【００４４】
フィルタ６はリアクトル６１，６２とコンデンサ６３，６４とを備えている。リアクトル６１は配線Ｗ３１に設けられ、リアクトル６２は配線Ｗ３２に設けられる。コンデンサ６３，６４はリアクトル６１，６２よりも接続端子２側において、配線Ｗ３１，Ｗ３２の間で相互に直列に接続されている。コンデンサ６３，６４を接続する接続点は接地されている。
【００４５】
なおコンデンサ５５，５６およびフィルタ６が一つのフィルタを形成する、と把握することもできる。
【００４６】
コンデンサ５５，５６およびフィルタ６は、室内機２００から電源端子１へと伝達されるノイズを低減することができる。またフィルタ６は直流線ＬＨ，ＬＬから室内機２００へと伝達されるノイズを低減することもできる。
【００４７】
図２の例においては、接続端子２として接続端子２３も例示されている。接続端子２３は、配線Ｗ３３を介して室外機３００の制御部３５０に接続される。配線Ｗ３３には通信回路３５１が設けられている。よって制御部３５０は通信回路３５１を介して接続端子２３に接続される。配線Ｗ３３は制御部３５０と制御部２５０との間の通信線として機能する。
【００４８】
配線Ｗ１１，Ｗ１２，Ｗ２１，Ｗ２２，Ｗ３１，Ｗ３２，Ｗ３３は多層基板１０に形成される。配線Ｗ１１，Ｗ１２，Ｗ２１，Ｗ２２，Ｗ３１，Ｗ３２，Ｗ３３は金属で形成されており、配線パターンとも呼ばれる。
【００４９】
本プリント基板において、上述した配線のうち第１配線の少なくとも一部は、多層基板１０において、多層基板１０の表面における層とは異なる第１層に形成され、上述の配線のうち第２配線の少なくとも一部は、多層基板１０の表面における層および第１層のいずれとも異なる第２層に形成される。以下、その具体例について説明する。
【００５０】
ここでは一例として多層基板１０として４層の基板を採用する。図４、図５、図７および図９は、それぞれ多層基板１０の層Ｌ１〜Ｌ４に形成される配線の一例を模式的に示す図である。層Ｌ１〜Ｌ４には配線が形成可能であり、層Ｌ１〜Ｌ４は層間絶縁膜によって互いに絶縁されている。例えば多層基板１０は、その表面に層Ｌ１を有する。なお図４、図５、図７および図９は各層Ｌ１〜Ｌ４にどの配線が形成されるのかを模式的に示しているだけであり、その位置および形状等は図示に依らずに適宜に設定されればよい。また各層Ｌ１〜Ｌ４には、図４、図５、図７および図９の各々で示された配線以外の配線も形成され得る。
【００５１】
図４の例では、層Ｌ１には、配線Ｗ１１ａ，Ｗ１２ａが形成されている。配線Ｗ１１ａは配線Ｗ１１の少なくとも一部であり、配線Ｗ１２ａは配線Ｗ１２の少なくとも一部である。具体的な一例として、配線Ｗ１１ａは、配線Ｗ１１のうち電源端子１１と分岐点Ｐ２１との間の配線であり、配線Ｗ１２ａは、配線Ｗ１２のうち電源端子１２と分岐点Ｐ２２との間の配線である。
【００５２】
図５の例では、層Ｌ２には、配線Ｗ２１ａ，Ｗ２２ａが形成されている。配線Ｗ２１ａは配線Ｗ２１の少なくとも一部であり、配線Ｗ２２ａは配線Ｗ２２の少なくとも一部である。図６は、プリント基板の構成の一例を示す断面図である。層Ｌ１と層Ｌ２との間には層間絶縁膜Ｆ１が設けられる。層Ｌ１に形成される配線Ｗ１１ａは、層Ｌ２に形成される配線Ｗ２１ａに、ビアＶ１を介して接続されている。このビアＶ１は層間絶縁膜Ｆ１を多層基板１０の厚み方向に貫通して、配線Ｗ１１ａ，Ｗ２１ａを接続する。また、配線Ｗ２１ａは層Ｌ１に形成される配線Ｗ２１ｂにビアＶ２を介して接続されている。ビアＶ２は層間絶縁膜Ｆ１を厚み方向に貫通して、配線Ｗ２１ａ，Ｗ２１ｂを接続する。配線Ｗ２１ａ，Ｗ２１ｂは配線Ｗ２１を構成し、配線Ｗ２１ｂは例えば電源回路４に接続される。
【００５３】
配線Ｗ２２も配線Ｗ２１と同様の構造を有しており、配線Ｗ２２の少なくとも一部である配線Ｗ２２ａが層Ｌ２に形成される。
【００５４】
図７の例では、層Ｌ３には、配線Ｗ３１ａ，Ｗ３２ａが形成されている。配線Ｗ３１ａは配線Ｗ３１の少なくとも一部であり、配線Ｗ３２ａは配線Ｗ３２の少なくとも一部である。図８は、プリント基板の構成の一例を示す断面図である。層Ｌ２と層Ｌ３との間には層間絶縁膜Ｆ２が設けられる。配線Ｗ３１は配線Ｗ３１ａ〜Ｗ３１ｄによって構成されている。配線Ｗ３１ａは層Ｌ３に形成され、配線Ｗ３１ｂ〜３１ｄは例えば層Ｌ１に形成される。配線Ｗ３１ａは配線Ｗ３１ｂ，Ｗ３１ｃとそれぞれビアＶ３，Ｖ４を介して接続される。ビアＶ３，Ｖ４の各々は層間絶縁膜Ｆ１，Ｆ２を貫通して、配線同士を接続する。図８の例では、配線Ｗ３１ｂは接続端子２に接続され、配線Ｗ３１ｃはフィルタ６に接続されている。配線Ｗ３１ｄはフィルタ６と配線Ｗ１１ａとを接続する。配線３２ａは接続端子２とフィルタ６との間に位置している。配線Ｗ３２も配線Ｗ３１と同様の構造を有しており、配線Ｗ３２の少なくとも一部である配線Ｗ３２ａが層Ｌ３に形成される。
【００５５】
図９の例では、層Ｌ４には、配線Ｗ１１ｂ，Ｗ１２ｂが形成されている。例えば、配線Ｗ１１ｂは、配線Ｗ１１のうちフィルタ５と電力変換回路３との間の配線の少なくとも一部であり、配線Ｗ１２ｂは配線Ｗ１２のうちフィルタ５と電力変換回路３との間の配線の少なくとも一部である。例えば配線Ｗ１１ｂは配線Ｗ１１のうち分岐点Ｐ２１と電力変換回路３との間の配線であり、例えば配線Ｗ１２ｂは配線Ｗ１２のうち分岐点Ｐ２２と電力変換回路３との間の配線である。
【００５６】
本プリント基板によれば、例えば層Ｌ２に形成される配線Ｗ２１ａ，Ｗ２２ａを、層Ｌ１に実装される構成要素（例えば電源端子１および電力変換回路３など）および層Ｌ１，Ｌ３，Ｌ４に形成される配線とは関係なく引き回すことができる。よって、配線Ｗ２１ａ，Ｗ２２ａの設置自由度を向上できる。したがって、配線Ｗ２１ａ，Ｗ２２ａの各々と電源端子１との間の距離（多層基板１０に平行な距離）を長くすることができる。つまり、配線Ｗ２１ａ，Ｗ２２ａの各々を電源端子１から遠ざけることができる。
【００５７】
また、配線Ｗ２１ａ，Ｗ２２ａの各々を、配線Ｗ１１，Ｗ１２うちフィルタ５よりも電源端子１側の配線（以下、電源端子側の配線Ｗ１１，Ｗ１２とも呼ぶ）から遠ざけることもできる。例えば配線Ｗ２１ａ，Ｗ２２ａの各々が電源端子側の配線Ｗ１１，Ｗ１２の近くに形成されると、これらの間の寄生容量が大きくなるので、この寄生容量を介して配線Ｗ２１ａ，Ｗ２２ａのノイズが電源端子側の配線Ｗ１１，Ｗ１２へと伝達されやすい。なお、この伝達経路にはフィルタ５が介在しないので、フィルタ５によるノイズの低減効果は招来されない。
【００５８】
これに対して、本実施の形態では、層Ｌ２に形成された配線Ｗ２１ａ，Ｗ２２ａを、電源端子側の配線Ｗ１１，Ｗ１２の両方から遠ざけて形成することができる。したがって、配線Ｗ２１ａ，Ｗ２２ａから当該寄生容量を介して配線Ｗ１１，Ｗ１２および電源端子１に伝達されるノイズを低減することができる。寄生容量を介したノイズの伝達は、多層基板１０に平行な方向における配線間の距離が長いほど効果的に抑制される。
【００５９】
層Ｌ３に形成される配線Ｗ３１ａ，Ｗ３２ａおよび層Ｌ４に形成される配線Ｗ１１ｂ，Ｗ１２ｂについても同様である。
【００６０】
また上述の説明では、フィルタ５と電源回路４（ノイズ源）との間に位置する配線Ｗ２１ａ，Ｗ２２ａを、層Ｌ１とは異なる層Ｌ２に形成している。これによれば、電源回路４および電力変換回路３からのノイズが重畳しやすい配線Ｗ２１ａ，Ｗ２２ａの各々と、電源端子１（あるいは電源端子側の配線Ｗ１１，Ｗ１２）との間の距離を長くすることができる。よって、電源端子１へ伝達されるノイズを効果的に低減することができる。
【００６１】
フィルタ５と電力変換回路３との間に位置する配線Ｗ１１ｂ，Ｗ１２ｂ、および、フィルタ６と接続端子２との間に位置する配線Ｗ３１ａ，Ｗ３２ａについても同様である。
【００６２】
また、空気調和機１００においては、電源端子１に伝達されるノイズのみならず、室内機２００と室外機３００との間の電線に伝達されるノイズが小さいことが好ましい。上述の説明では、室内機２００への給電に用いられる配線Ｗ３１ａ，Ｗ３２ａを、配線Ｗ２１ａ，Ｗ２２ａが形成される層Ｌ２とは異なる層Ｌ３に形成している。よって、多層基板１０に平行な方向において、配線Ｗ３１ａ，Ｗ３２ａの各々を、ノイズが重畳されやすい配線Ｗ２１ａ，Ｗ２２ａの両方から遠ざけることができる。これにより、寄生容量を介して配線Ｗ２１ａ，Ｗ２２ａから配線Ｗ３１ａ，Ｗ３２ａへと伝達されるノイズを低減することができる。ひいては、室内機２００と室外機３００との間の電線に生じるノイズを低減することができる。
【００６３】
また上述の説明では、配線Ｗ３１ａ，Ｗ３２ａを、配線Ｗ１１ｂ，Ｗ１２ｂが形成される層Ｌ４とは異なる層Ｌ３に形成している。よって、配線Ｗ３１ａ，Ｗ３２ａの各々を、ノイズが重畳されやすい配線Ｗ１１ｂ，Ｗ１２ｂの両方から遠ざけることができる。したがって、寄生容量を介して配線Ｗ１１ｂ，Ｗ１２ｂから配線Ｗ３１ａ，Ｗ３２ａへと伝達されるノイズを低減することができる。
【００６４】
なお上述の例では、例えば配線Ｗ２１ａ，Ｗ２２ａを一つの層Ｌ２に形成しているものの、これらが異なる層に形成されても構わない。図１０および図１１は、層Ｌ２，Ｌ３にそれぞれ形成される配線Ｗ２１ａ，Ｗ２２ａの一例を模式的に示す図である。
【００６５】
配線Ｗ２１ａ，Ｗ２２ａは多層基板１０の厚み方向において、相互に対向する位置に形成されていてもよい。これによれば、配線Ｗ２１ａ，Ｗ２２ａを、電源端子１（あるいは電源端子側の配線）から同程度に遠ざけることができる。よって、配線Ｗ２１ａ，Ｗ２２ａから電源端子１へと伝達されるノイズを同程度に低減することができる。例えば同じ層に配線Ｗ２１ａ，Ｗ２２ａが形成されると、配線Ｗ２１ａ，Ｗ２２ａの一方が他方よりも電源端子１（あるいは電源端子側の配線Ｗ１１，Ｗ１２）に近くなる。これに対して、配線Ｗ２１ａ，Ｗ２２ａが異なる層で形成すれば、電源端子１に近い方の一方を他方と同程度に遠ざけることができる。これにより、電源端子１へと伝達されるノイズを低減できることができる。この点は、配線Ｗ３１ａ，Ｗ３２ａについても同様であり、配線Ｗ１１ｂ，Ｗ１２ｂについても同様である。
【００６６】
なお、例えば電源端子１と電力変換回路３との間にＮ本の配線が形成されている場合には、これらのＮ本の配線のうち少なくとも二つが異なる層に形成されればよく、また、この少なくとも二つが多層基板１０の厚み方向において互いに対向する位置に形成されていればよい。
【００６７】
変形例．
図１２は、プリント基板に設けられる電気的な構成の一例を概略的に示す図である。かかる構成は、電力変換回路３の内部構成という点で図２の構成と相違する。電力変換回路３は電力バッファ回路３４を更に備えている。電力バッファ回路３４は例えば昇圧回路を備えている。例えば昇圧回路は昇圧リアクトルとスイッチ素子とコンデンサを備える。コンデンサは直流線ＬＨ，ＬＬの間に接続されている。昇圧リアクトルおよびスイッチ素子は直流線ＬＨ，ＬＬの間で相互に直列に接続されており、スイッチ素子がオンすることにより、昇圧リアクトルにエネルギーが蓄積される。スイッチ素子がオフすると、昇圧リアクトルに蓄えられたエネルギーがコンデンサへと放出され、コンデンサが充電される。これにより、コンデンサの電圧を昇圧することができる。またこのような電力バッファ回路３４は公知のように、整流回路３１の入力側の力率（入力力率）を改善することもできる。
【００６８】
また上述の例では、プリント基板は室外機３００に設けられているものの、室内機２００に設けられてもよい。この場合、電力変換回路３は例えばファン２２０の電動機Ｍ１へと交流電圧を出力する。また、接続端子２は例えば電線を介して室外機３００に接続される。
【００６９】
また上述の例では、多層基板１０は４つの層Ｌ１〜Ｌ４を有しているものの、３層基板であってもよい。各層に形成される配線は適宜に設定されればよい。例えば、層Ｌ１には配線Ｗ１１，Ｗ１２が形成され、層Ｌ２には配線Ｗ２１ａ，Ｗ２２ａが形成され、層Ｌ３には配線Ｗ３１ａ，Ｗ３２ａが形成されてもよい。
【００７０】
本プリント基板および空気調和機１００では、その発明の範囲内において、相互に矛盾しない限り、上記の種々の実施の形態を適宜、変形、省略することが可能である。
【符号の説明】
【００７１】
１  電源端子
２  接続端子
３  電力変換回路
４  電源回路
５，６  フィルタ
１０  多層基板
Ｌ１〜Ｌ４  層
Ｗ１１ａ，Ｗ１２ａ，Ｗ１１ｂ，Ｗ１２ｂ，Ｗ２１ａ，Ｗ２２ａ，Ｗ３１ａ，Ｗ３２ａ  配線
【図１】
2018204797.tif 000003
【図２】
2018204797.tif 000004
【図３】
2018204797.tif 000005
【図４】
2018204797.tif 000006
【図５】
2018204797.tif 000007
【図６】
2018204797.tif 000008
【図７】
2018204797.tif 000009
【図８】
2018204797.tif 000010
【図９】
2018204797.tif 000011
【図１０】
2018204797.tif 000012
【図１１】
2018204797.tif 000013
【図１２】
2018204797.tif 000014